(57)【要約】【課題】  家屋の設計により異なる家屋の屋根勾配に応じて傘型形状を容易に調整可能な家屋棟部設置型換気装置を提供する。【解決手段】  天板部２は、棟包み板部１の各斜面に立ち上げる支持金具３ａ，３ｂ、４ａ，４ｂにより通気経路Ｅを保って棟包み板部１を覆い、天板部２の両端板２２，２３は天板部２の傘型の角度調整に応じて切込み端２２ｂ，２３ｂの重合せ面積を調整可能に設け、換気扇１０を支持する略上向きコの字状に折り曲げた板金製の支持台１１を備え、支持台１１は天板部２の傘型の折曲げ線の両側の各斜面に取り付けて天板部２の内側に備え付け、換気扇１０は支持台１１の橋絡板１０ａに取り付け、支持台１１は天板部２の傘型の角度調整に伴って両脚板１１ｂ，１１Ｃを近接乃至は離間可能に取り付けた。【選択図】    図３
2015127480.tif 000002
【特許請求の範囲】
【請求項１】
屋内空気を屋外に排出するに、屋根の稜線に設けられる通気間隔に沿って通気
孔を設けた板金製の棟包み板部と、両側板を両側縁に有し且つ両端板を両端縁に
有する板金製の天板部からなり、前記棟包み板部と天板部は屋根の両斜面に亘る
傘型に折り曲げられ、且つ、前記天板部の両側板で形成する屋内空気の排出口と
連通する通気経路を保って一体に組み付けられ、太陽電池で駆動する排気用の換
気扇を前記通気経路の内部に備える換気扇付き家屋棟部換気装置において、
前記天板部は、前記棟包み板部の各斜面に間隔を隔てて個別に立ち上げる狭幅
な板状の支持金具により前記通気経路を保って前記棟包み板部を覆い、
前記天板部の両端板は前記天板部の両端縁より下方に折り曲げ、前記傘型の頂
点に向けて切込みを前記両端板に各々入れると共に、前記切込みによる各切込み
端を互いに重ね合せ、前記天板部の傘型の角度調整に応じて前記切込み端の重合
せ面積を調整可能に設け、
更に、前記換気扇を支持する橋絡板，該橋絡板の両端より折れ曲がる両脚板，
該各脚板より折れ曲がる接地板から略上向きコの字状に折り曲げた板金製の支持
台を備え、該支持台は前記接地板で前記天板部の傘型の折曲げ線の両側の各斜面
に取り付けて前記天板部の内側に備え付け、
前記換気扇は、前記支持台の橋絡板に取り付け、
前記支持台は、前記天板部の傘型の角度調整に伴って前記両脚板を近接乃至は
離間方向に変形可能に取り付けたことを特徴とする換気扇付き家屋棟部設置型換
気装置。
【請求項２】
前記換気扇の支持台は、前記両脚板の板面の幅方向に設ける狭幅な長穴により、
前記天板部の傘型の角度調整に伴って前記両脚板を折曲げ可能に形成したことを
特徴とする請求項１に記載の換気扇付き家屋棟部設置型換気装置。
【請求項３】
前記換気扇に至る通気経路には、防虫網を張設したことを特徴とする請求項１
に記載の換気扇付き家屋棟部設置型換気装置。
【発明の詳細な説明】
【技術分野】
【０００１】
本発明は、屋内空気を家屋棟部に設ける通気間隔から屋外に排出する換気扇付
き家屋棟部設置型換気装置に関するものである。
【背景技術】
【０００２】
本出願人は、先に、太陽電池で駆動する換気扇により、屋内空気を家屋棟部に
設ける通気間隔から屋外に排出する家屋棟部設置型換気装置を提案している（特
許文献１）。
【０００３】
先に提案の家屋棟部設置型換気装置は、屋根の稜線に設けられる通気間隔に沿
う長穴状の通気孔を設けた板金製の棟包み板部と、両側板を両側縁に有し且つ両
端板を両端縁に有する板金製の天板部からなり、前記棟包み板部と天板部は屋根
の両斜面に亘る傘型に折り曲げられ、且つ、前記天板部の両側板に形成する屋内
空気の排出口と連通する通気経路を保って一体に組み付けられ、太陽電池で駆動
する排気用の換気扇を前記通気経路に備えて構成されている。
【０００４】
上述した排気用の換気扇は、天板部の両側板に亘ってあてがい固定する下向き
コの字状の基台部を設けることにより、基台部の橋絡板に取り付けて備えられて
いる。
【先行技術文献】
【特許文献】
【０００５】
【特許文献１】特開２００５−２１３９４２
【発明の概要】
【０００６】
本発明は、家屋の設計により異なる家屋の屋根勾配に応じて傘型形状を容易に
調整可能な家屋棟部設置型換気装置を提供することを目的とする。
【発明が解決しようとする課題】
【０００７】
一般に、家屋の屋根勾配は家屋の設計により異なるのが通常である。
【０００８】
ところが、上述した家屋棟部設置型換気装置では、換気扇の基台部を天板部の
両側板に掛け渡せてあてがい固定するため、家屋の設計により異なる家屋の屋根
勾配に合わせて天板部の傘型形状を角度調整することができない。この家屋棟部
設置型換気装置では、異なる家屋の屋根勾配に応じて各々個々に作製しなければ
ならない。
【０００９】
本願の請求項１に係る発明は、屋内空気を屋外に排出するに、屋根の稜線に設
けられる通気間隔に沿って通気孔を設けた板金製の棟包み板部と、両側板を両側
縁に有し且つ両端板を両端縁に有する板金製の天板部からなり、前記棟包み板部
と天板部は屋根の両斜面に亘る傘型に折り曲げられ、且つ、前記天板部の両側板
に形成する屋内空気の排出口と連通する通気経路を保って一体に組み付けられ、
太陽電池で駆動する排気用の換気扇を前記通気経路の内部に備える換気扇付き家
屋棟部換気装置において、
前記天板部は、前記棟包み板部の各斜面に間隔を隔てて個別に立ち上げる狭幅
な板状の支持金具により前記通気経路を保って前記棟包み板部を覆い、
前記天板部の両端板は前記天板部の両端縁より下方に折り曲げ、前記傘型の頂
点に向けて切込みを前記両端板に各々入れると共に、前記切込みによる各切込み
端を互いに重ね合せ、前記天板部の傘型の角度調整に応じて前記切込み端の重合
せ面積を調整可能に設け、
更に、前記換気扇を支持する橋絡板，該橋絡板の両端より折れ曲がる両脚板，
該各脚板より折れ曲がる接地板から略上向きコの字状に折り曲げた板金製の支持
台を備え、該支持台は前記接地板で前記天板部の傘型の折曲げ線の両側の各斜面
に取り付けて前記天板部の内側に備え付け、
前記換気扇は、前記支持台の橋絡板に取り付け、
前記支持台は、前記天板部の傘型の角度調整に伴って前記両脚板を近接乃至は
離間可能に取り付けたことを特徴とする。
【００１０】
本願の請求項２に係る発明は、前記換気扇の支持台は、前記両脚板の板面の幅
方向に設ける狭幅な長穴により、前記天板部の傘型の角度調整に伴って前記両脚
板を折曲げ可能に形成したことを特徴とする。
【００１１】
本願の請求項３に係る発明は、前記換気扇に至る通気経路に、防虫網を張設し
たことを特徴とする。
【発明の効果】
【００１２】
本願の請求項１に係る発明では、天板部は、棟包み板部の各斜面に間隔を隔て
て個別に立ち上げる狭幅な板状の支持金具により通気経路を保って棟包み板部を
覆い、
天板部の両端板は天板部の両端縁より下方に折り曲げ、傘型の頂点に向けて切
込みを両端板に各々入れると共に、切込みによる各切込み端を互いに重ね合せ、
天板部の傘型の角度調整に応じて切込み端の重合せ面積を調整可能に設け、
更に、換気扇の橋絡板，橋絡板の両端より折れ曲がる両脚板，各脚板より折れ
曲がる接地板から略上向きコの字状に折り曲げた板金製の支持台を備え、支持台
は接地板で天板部の傘型の折曲げ線の両側の各斜面に取り付けて天板部の内側に
備え付け、
換気扇は、支持台の橋絡板に取り付け、
支持台は、天板部の傘型の角度調整に伴って両脚板を近接乃至は離間可能に備
え付けるため、家屋の設計により異なる家屋の屋根勾配に応じて傘型形状を調整
することができる。
これにより、家屋の設計により異なる家屋の屋根勾配に応じて傘型形状を調整
可能な換気扇付き家屋棟部換気装置を作り置きでき、換気扇付き家屋棟部換気装
置を家屋棟部に設置するに速やかに対応することができる。
【００１３】
本願の請求項２に係る発明では、換気扇の支持台は、両脚板の板面の幅方向に
設ける狭幅な長穴により、天板部の傘型の角度調整に伴って両脚板を折曲げ可能
に形成するため、家屋の設計により異なる家屋の屋根勾配に応じて傘型形状を容
易に調整することができる。
【００１４】
本願の請求項３に係る発明では、換気扇に至る通気経路に、防虫網を張設する
ため、屋内空気の排出口より虫や小鳥等が通気経路の内部に浸入しても、虫や小
鳥等の浸入で換気扇に支障を来すことが防ぐことができる。
【図面の簡単な説明】
【００１５】
【図１】図１は、本発明に係る換気扇付き家屋棟部換気装置を横断面で示す説明図である。
【図２】図２は、図１の家屋棟部換気装置を構成する棟包み板部を部分平面で示す説明図である。
【図３】図３は、図１の家屋棟部換気装置を片端面より示す説明図である。
【図４】図４は、図１の家屋棟部換気装置を構成する天板部の内側に備える換気扇を示す説明図である。
【図５】図５は、図１の家屋棟部換気装置に備える太陽電池を示す説明図である。
【図６】図６は、図５の天板部の内側に備える換気扇の支持台を片側部で示す説明図である。
【発明を実施するための形態】
【００１６】
本願の換気扇付き家屋棟部換気装置は、屋内空気を屋外に排出するに、図１で
示すように板金製の棟包み板部１と天板部２を備えて組み立てられている。棟包
み板部１と天板部２は、初期設定の角度を１３０°程度に保って屋根の両斜面に
亘る傘型に折り曲げられている。棟包み板部１と天板部２は、金属製の薄平板材
を所定の平面形状に裁断すると共に、所定の立体形状に折り曲げて必要個所をリ
ベットやビス等の止め具で止めることにより各々構成されている。
【００１７】
棟包み板部１には、図１，図２で示すように屋根の稜線に設けられる通気間隔
に沿って通気孔１ａ，１ｂ…が設けられている。また、棟部に施工する垂木(図示
せず)に被せると共に、屋根板を受け入れて野地板(図示せず)に取付け固定する略
Ｌ字状の段部１ｃ，１ｄが設けられている。両端部１ｅ(図２に、片側のみ図示)
は、野地板に被せて屋根板(図示せず)の下側に敷込むよう棟包み板部１の本体部
分より延長させて設けられている。この棟包み板部１には、後述する天板部の端
部板と相対する端部板(図示せず)を各斜面から立ち上げて設けるようにできる。
【００１８】
天板部２（図１参照）には、両側板２０，２１が両側縁より下方に折り曲げて
設けられ、また、両端板２２，２３(片側のみ図示)が両端縁より下方に折り曲げ
て設けられている。両側板２０，２１は、通気経路Ｅの排出口２４，２５を形成
するよう折り曲げられている。両端板２２，２３は、両側板２０，２１よりも下
方に延びる下端部２２ａ，２３ａを持って通気経路Ｅの両端側を遮蔽するよう折
り曲げられている。
【００１９】
天板部２は、棟包み板部１の各斜面に間隔を隔てて個別に立ち上げる狭幅な板
状の支持金具３ａ，３ｂ、４ａ，４ｂにより通気経路Ｅを保って棟包み板部１を
覆うよう組み付けられている。天板部２の両端板２２，２３は、傘型の頂点に向
けて入れる切込みにより、各切込み端２２ｂ，２３ｂを互いに重ね合せ、天板部
２の傘型の角度調整に応じて切込み端２２ｂ，２３ｂの重合せ面積を調整可能に
設けられている。
【００２０】
支持金具３ａ，３ｂ、４ａ，４ｂは、通気経路Ｅの内寄り、外寄りに位置させ
て二つ対に設けられている。内寄りの支持金具３ａ，４ａとしては、略Ｚ字状に
折り曲げたものが備え付けられている。外寄りの支持金具３ｂ，４ｂとしては、
棟包み板１の段部１ｃ，１ｄを押える折曲げ片を有する略コの字状に折り曲げた
ものが備え付けられている。
【００２１】
支持金具３ａ，３ｂ、４ａ，４ｂの下辺は、止め具５ａ，５ｂ、６ａ，６ｂで
棟包み板１に固定されている。止め具５ｂ，６ｂによっては、略Ｚ字状に折り曲
げた屋内空気の誘導板７ａ，７ｂが棟包み板１に共締め固定されている。支持金
具３ａ，４ａの上辺は、略への字状に折り曲げた屋内空気の誘導板９ａ，９ｂを
備えてビス等の止め具５ｄ，６ｄで締付け固定されている。
【００２２】
換気扇１０は、図３で示すように橋絡板１１ａ、該橋絡板１１ａの両端より折
れ曲がる両脚板１１ｂ，１１ｃ、各脚板１１ｂ，１１ｃより外方に折れ曲がる接
地板１１ｅ，１１ｆから略上向きコの字状に折り曲げた板金製の支持台１１を備
えている。支持台１１は、図４で示すように接地板１１ｅ，１１ｆを天板部２の
傘型の折曲げ線の両側の各斜面に止め具５ｅ，６ｅで取り付けて天板部２の内側
に備え付けられている。換気扇１０は、支持台１１の橋絡板１１ａに取り付けら
れている。天板部２を支持金具３ｂ，４ｂに取り付ける止め具５ｄ，６ｄは、天
板部２の各斜面の上下方向に向かう長穴２４，２５により、天板部２の傘型の角
度調整に伴って位置をズラせるよう設けられている。
【００２３】
太陽電池１２は、図３，図５で示すように天板部２に長手方向に亘るパネル状
のものが備えられている。その太陽電池１２は、電力線(図示せず)を太陽電池１
２の接地面内で天板部２の板面より天板部２の内部に引き込むことにより換気扇
１０に接続されている。また、嵌込み用ホルダー枠１２ａをビス等の止め具１２
ｂ，１２ｃで天板部２板面に締付け固定することから、天板部２の外側で片斜面
の板面上にあてがい設置されている。
【００２４】
上述した換気扇１０の支持台１１には、図６で示すように各脚板１１ｂ(片側の
み図示)の立上り基部に、各脚部１１ｂの幅方向に亘る細幅な長穴１１ｇ，１１ｈ
が設けられている。この長穴１１ｇ，１１ｈは、天板部２の傘型の角度調整に伴
って支持台１１の脚部１１ｂ，１１ｃの相対間隔を容易に調整可能に設けられて
いる。
【００２５】
上述した換気扇１０に至る通気経路Ｅには、防虫網１３，１４が張設されてい
る。この防虫網１３，１４は、網目の細かなネット状のもので、誘導板９ａ，９
ｂで支持金具３ｂ，４ｂにあてがって支持金具３ａ，４ａとの間に取り付けられ
ている。
【００２６】
このように構成する換気扇付き家屋棟部換気装置では、天板部２は、棟包み板
部１の各斜面に間隔を隔てて個別に立ち上げる狭幅な板状の支持金具３ａ，３ｂ、
４ａ，４ｂにより通気経路Ｅを保って棟包み板部１を覆い、天板部２の両端板２
２，２３は天板部２の両端縁より下方に折り曲げ、傘型の頂点に向けて切込みを
両端板に各々入れると共に、切込みによる各切込み端２２ｂ，２３ｂを互いに重
ね合せ、天板部２の傘型の角度調整に応じて切込み端２２ｂ，２３ｂの重合せ面
積を調整可能に設けられている。
【００２７】
それに加えて、換気扇１０の支持台１１が換気扇１０の橋絡板１１ａ，橋絡板
１１ａの両端より折れ曲がる両脚板１１ｂ，１１ｃ，各脚板１１ｂ，１１ｃより
折れ曲がる接地板１１ｅ，１１ｆから略上向きコの字状に折り曲げた板金製のも
ので形成され、支持台１１は接地板１１ｅ，１１ｆで天板部２の傘型の折曲げ線
の両側の各斜面に取り付けて天板部２の内側に備え付けられている。また、換気
扇１０は支持台１１の橋絡板１１ａに取り付けられている。
【００２８】
支持台１１は、天板部２の傘型の角度調整に伴って両脚板１１ｂ，１１Ｃを近
接乃至は離間可能に備え付けられているため、家屋の設計により異なる家屋の屋
根勾配に応じて傘型形状を調整することができる。これにより、家屋の設計によ
り異なる家屋の屋根勾配に応じて傘型形状を調整可能に作り置きでき、換気扇付
き家屋棟部換気装置を家屋棟部に設置する必要が生じたときには速やかに対応す
ることができる。
【００２９】
換気扇１０の支持台１１は、両脚板１１ｂ，１１ｃの板面の幅方向に設ける狭
幅な長穴１１ｇ、１１ｈにより、天板部２の傘型の角度調整に伴って両脚板１１
ｂ，１１ｃを折曲げ可能に形成するため、家屋の設計により異なる家屋の屋根勾
配に応じて傘型形状を容易に調整することができる。
【００３０】
換気扇１０に至る通気経路Ｅには、防虫網１３，１４を張設するため、屋内空
気の排出口２４，２５より虫や小鳥等が通気経路Ｅの内部に浸入しても、虫や小
鳥等の浸入で換気扇１０に支障を来すことが防ぐことができる。
【符号の説明】
【００３１】
１      棟覆い板部
１ａ，１ｂ…      通気口
２      天板部
２０，２１      天板部の側板
２２，２３      天板部の端板
２４，２５      排気口
３ａ，３ｂ、４ａ，４ｂ    支持金具
５ａ…，６ａ…      止め具
１０    換気扇
１１    換気扇の支持台
１１ａ    支持台の橋絡板
１１ｂ，１１ｃ    支持台の脚板
１１ｅ，１１ｆ    支持台の接地板
１３，１４      防虫網
【図１】
2015127480.tif 000003
【図２】
2015127480.tif 000004
【図３】
2015127480.tif 000005
【図４】
2015127480.tif 000006
【図５】
2015127480.tif 000007
【図６】
2015127480.tif 000008